(57)【要約】【課題】スイングルーバーの落下を防ぐとともに使用者が容易に確認することができることを目的とする。【解決手段】スイングルーバー軸Ａ１０ａとステッピングモーター軸１１とジョイント８とをフロントパネルの軸穴Ａ１２ａを介して１直線で連結し、スイングルーバー軸Ａ１０ａの外周に落下防止リブ１３を備え、ジョイント８の材質をスイングルーバー７の材質より耐薬品がある樹脂材料という構成にしたことにより、スイングルーバー７とジョイント８を結合した軸の劣化等は必ずスイングルーバー軸Ａ１０ａが加速しスイングルーバー軸Ａ１０ａが折れた場合、スイングルーバー７外周の落下防止リブ１３にジョイント８が引っ掛かりスイングルーバー７を保持するとなるので、スイングルーバー７の落下を防ぐとともに使用者が容易に確認することができる浴室換気空調装置を得られる。【選択図】図３
2012193933.tif 000002
【特許請求の範囲】
【請求項１】
外部空気を取り入れる吸込口と外部に向けて拡大する吹出口を備えたフロントパネルと前記吸込口から前記吹出口を連結する循環風路と、前記吹出口の出口には吹出し風の方向を変えるスイングルーバーを備え、前記スイングルーバーはジョイントと方向可変を制御するステッピングモーターで構成されているものであって前記スイングルーバー軸と前記ステッピングモーター軸と前記ジョイントとを前記フロントパネルの軸穴を介して１直線で連結し、前記スイングルーバー軸の外周に落下防止用のリブを備え、前記ジョイントの材質を前記スイングルーバーの材質より耐薬品がある樹脂材料で構成することを特徴とする浴室換気空調装置。
【請求項２】
ステッピングモーターを前記ステッピングモーターを覆うステッピングモーターカバーに固定し、前記ステッピングモーターカバーに固定されたステッピングモーター軸とジョイントとスイングルーバーの軸との連結は１直線に軸方向に連結し、前記ステッピングモーターカバーをフロントパネルの平面に対して垂直にネジ等で固定することを特徴とする請求項１に記載の浴室換気空調装置。
【請求項３】
ステッピングモーターカバーにリード口とリード固定止リブを設け、このリード口以外に前記ステッピングモーターカバーフロントパネルとの隙間を設けないことを特徴とする請求項１または２に記載の浴室換気空調装置。
【発明の詳細な説明】
【技術分野】
【０００１】
本発明は、浴室などの居住空間の換気空調を行う換気空調装置に関するものである。
【背景技術】
【０００２】
従来、この種の浴室換気空調装置は、回動可能に支持された風向調整ルーバーをルーバー駆動用モーターによって回動させることで自動的に風向調整をされたものが知られている（例えば、特許文献１参照）。
【０００３】
以下、その浴室換気空調装置について、図９を参照しながら説明する。
【０００４】
図８に示すように、温風の吹出口を形成している枠部材１０１およびこの枠部材１０１に連結されたモーター収容ボックス１０２を有する吹出口ユニット１０３と枠部材１０１に回転可能に支持された風向調整ルーバー１０４とモーター収容ボックス１０２内に収容固定されたルーバー駆動用のステッピングモーター１０５を備えている。風向調整ルーバー１０４の回動軸１０６は、モーター収納ボックス１０２を形成している枠部材１０１を貫通する軸受部１０７の端面とステッピングモーター１０５のケーシング１０８との間にＯリング１０９が挟みこまれた状態で、モーター収容ボックス１０２内に収容固定されたステッピングモーター１０５の区同軸１１０に連結されている。
【先行技術文献】
【特許文献】
【０００５】
【特許文献１】特開２００３−１４２８６号公報
【発明の概要】
【発明が解決しようとする課題】
【０００６】
このような従来の換気装置においては、フロントパネルの薬品等の劣化は通常、ステッピングモーターのトルクを伝達するステッピングモーター軸とジョイント、スイングルーバー軸に集中する、ステッピングモーター軸はフロントパネル内側のため、折れた場合もルーバーは落下しないが、ジョイント、スイングルーバー軸が折れた場合はスイングルーバーがパネルより落下する恐れがある、という課題を有していた。
【０００７】
そこで本発明は、上記従来の課題を解決するものであり、スイングルーバーの落下を防ぐとともに使用者が容易に確認することができる、浴室換気空調装置を提供することを目的とする。
【課題を解決するための手段】
【０００８】
そして、この目的を達成するために、本発明は、スイングルーバー軸とステッピングモーター軸とジョイントとをフロントパネルの軸穴を介して１直線で連結し、前記スイングルーバー軸の外周に落下防止用のリブを備え、前記ジョイントの材質を前記スイングルーバーの材質より耐薬品がある樹脂材料で構成する、としたものであり、これにより所期の目的を達成するものである。
【発明の効果】
【０００９】
本発明によれば前記スイングルーバー軸と前記ステッピングモーター軸と前記ジョイントとを前記フロントパネルの軸穴を介して１直線で連結し、前記スイングルーバー軸の外周に落下防止用のリブを備え、前記ジョイントの材質を前記スイングルーバーの材質より耐薬品がある樹脂材料という構成にしたことにより、スイングルーバーとジョイントを結合した軸の劣化等は必ずスイングルーバー軸が加速しスイングルーバー軸が折れた場合、スイングルーバー外周の落下防止リブにジョイントが引っ掛かりスイングルーバーを保持するとなるので、スイングルーバーの落下を防ぐとともに使用者が容易に確認することができる、という効果を得ることができる。
【図面の簡単な説明】
【００１０】
【図１】本発明の実施の形態１の浴室換気空調装置の側面示す側面構成図
【図２】同浴室換気空調装置のフロントパネルに取り付く部品構成を示す斜視図
【図３】同浴室換気空調装置のフロントパネルに取り付く部品構成をスイングルーバー軸で区切った構成図
【図４】同浴室換気空調装置のフロントパネルに取り付く部品構成を裏面から見た正面図
【図５】同浴室換気空調装置のスイングルーバーの落下防止リブを示す斜視図
【図６】本発明の実施の形態２の浴室換気空調装置のステッピングモーターの取り付けを示す斜視図
【図７】同浴室換気空調装置のステッピングモーターカバーの取り付を示す斜視図
【図８】本発明の実施の形態３の浴室換気空調装置のステッピングモーターカバーに取り付く部品構成とリード口形状を示した斜視図
【図９】従来の浴室換気空調装置の側断面図
【発明を実施するための形態】
【００１１】
本発明の請求項１記載の浴室換気空調装置は、外部空気を取り入れる吸込口と外部に向けて拡大する吹出口を備えたフロントパネルと前記吸込口から前記吹出口を連結する循環風路と、前記吹出口の出口には吹出し風の方向を変えるスイングルーバーを備え、前記スイングルーバーはジョイントと方向可変を制御するステッピングモーターで構成されているものであって前記スイングルーバー軸と前記ステッピングモーター軸と前記ジョイントとを前記フロントパネルの軸穴を介して１直線で連結し、前記スイングルーバー軸の外周に落下防止用のリブを備え、前記ジョイントの材質を前記スイングルーバーの材質より耐薬品がある樹脂材料でという構成を有する。これにより、スイングルーバーとジョイントを結合した軸の劣化等は必ずスイングルーバー軸が加速しスイングルーバー軸が折れた場合、スイングルーバー外周の落下防止リブにジョイントが引っ掛かりスイングルーバーを保持するとなるので、スイングルーバーの落下を防ぐとともに使用者が容易に確認することができるという効果を奏する。
【００１２】
また、ステッピングモーターを前記ステッピングモーターを覆うステッピングモーターカバーに固定し、前記ステッピングモーターカバーに固定されたステッピングモーター軸とジョイントとスイングルーバーの軸との連結は１直線に軸方向に連結し、前記ステッピングモーターカバーをフロントパネルの平面に対して垂直にネジ等で固定するという構成にしてもよい。これにより、ステッピングモーターカバーに固定されたステッピングモーター軸とジョイントとスイングルーバーの軸との連結は１直線に軸方向に連結しでき、ステッピングモーターカバーはフロントパネルの平面に対して垂直にネジ等で固定できるので、スイングルーバー軸とジョイントとステッピングモーター軸の結合部の真円度の精度が上がりスイングルーバーの信頼性が向上する、またステッピングモーターカバーをフロントパネルの平面に対して垂直にネジ等で固定することにより作業性を良化できるという効果を奏する。
【００１３】
また、ステッピングモーターカバーにリード口とリード固定止リブを設け、このリード口以外に前記ステッピングモーターカバーフロントパネルとの隙間を設けないという構成にしてもよい。これにより、ステッピングモーターカバーにリード口とリード固定止リブを設け、リード口を通したステッピングモーターのリード線はこのリード固定リブで固定できる、またリード口以外にステッピングモーターカバーとフロントパネルとの隙間を設けないことによりステッピングモーターを湿度空間と隔離できるので、このリード口に通したリード線を固定リブで固定ですることにより作業性を良化でき、またリード口以外にステッピングモーターカバーとフロントパネルとの隙間を設けないことによりステッピングモーターを湿度空間と隔離できステッピングモーターの耐久性を伸ばすことができるという効果を奏する。
【００１４】
以下、本発明の実施の形態について図面を参照しながら説明する。
【００１５】
（実施の形態１）
図１から図５に示すように、浴室等の空間の天井に設置された浴室換気空調装置は、外部空気を取り入れる吸込口１と外部に向けて拡大する吹出口２を備えたフロントパネル６と前記吸込口１から前記吹出口２を連結する循環風路３と、前記吹出口２の出口には吹出し風の方向を変えるスイングルーバー７を備え、ファンモーター５とファン４から供給された空気をスイングルーバー７の角度、すなわち、浴室２０に向けて傾斜した斜面に沿って浴室２０に向かって吹き出す。スイングルーバー７は、ジョイント８すなわちステッピングモーター軸１１とスイングルーバー軸Ａ１０ａを連結する部品とスイングルーバー７の方向可変を制御するステッピングモーター９で構成されているものであって、スイングルーバー軸Ａ１０ａとステッピングモーター軸１１とジョイント８とをフロントパネル６の軸穴Ａ１２ａを介し、また、スイングルーバー軸Ｂ１０ｂと軸穴Ｂ１２ｂを介して１直線状１４に連結し、スイングルーバー軸Ａ１０ａの外周に沿った（例えばこの実施の形態では半円状に設けている）落下防止リブ１３を備え、ジョイント８の材質（例えばＰＰ）を前記スイングルーバー７（例えばＡＢＳ）の材質より耐薬品がある樹脂材料で構成する。
【００１６】
スイングルーバー７とジョイント８を結合した軸の劣化等は必ずスイングルーバー軸Ａ１０ａの劣化が加速しスイングルーバー軸Ａ１０ａが折れた場合、スイングルーバー７の外周の落下防止リブ１３がジョイント８に引っ掛かりスイングルーバー７を保持する。ジョイント８に脱落したスイングルーバー７の落下防止リブ１３が引っかかることによりスイングルーバー７の落下を防ぐとともに、脱落時に、ステッピングモーター９側のスイングルーバー７が下方に傾くため、使用者が容易に破損していることを判別することができる。
【００１７】
スイングルーバー７の落下を防ぐとともに使用者が容易に確認することができるという作用効果を生じる。
【００１８】
（実施の形態２）
図６、図７に示すように、ステッピングモーター９を前記ステッピングモーター９を覆うステッピングモーターカバー１５にねじ等で固定し、前記ステッピングモーターカバー１５に固定されたステッピングモーター軸１１と図３に示すジョイント８とスイングルーバー軸Ａ１０ａとの連結は１直線状１４に軸方向に連結し、前記ステッピングモーターカバー１５を図１に示すフロントパネル６の平面１７に対して垂直にネジ１６で固定する。
【００１９】
ステッピングモーターカバー１５に固定されたステッピングモーター軸１１とジョイント８とスイングルーバーの軸Ａ１０ａとの連結は１直線に軸方向に連結でき、ステッピングモーターカバー１５はフロントパネル６の平面１７に対して垂直にネジ１６で固定できる。
【００２０】
スイングルーバー軸Ａ１０ａとジョイント８とステッピングモーター軸１１の結合部の真円度の精度が上がり、スイングルーバー７のがたつきの信頼性が向上する、またステッピングモーターカバー１５をフロントパネル６の平面１７に対して垂直にネジ１６等で固定することにより作業性を良化できる。
【００２１】
（実施の形態３）
図８に示すように、ステッピングモーターカバー１５にリード口１８とリード固定リブ１９を設け、このリード口１８以外に前記ステッピングモーターカバー１５、フロントパネル６との隙間がなくなり、ステッピングモーターカバー１５にリード口１８とリード固定リブ１９を設け、リード口１８を通したステッピングモーター９のリード線２１は、このリード固定リブ１９で固定できる、また、リード口１８以外にステッピングモーターカバー１５とフロントパネル６との隙間を設けないことにより、ステッピングモーター９を浴室２０すなわち湿度空間との隔離でき、このリード口１８に通したリード線２１をリード固定リブ１９で固定することにより作業性を良化でき、また、リード口１８以外にステッピングモーターカバー１５とフロントパネル６との隙間を設けないことによりステッピングモーター９を浴室２０すなわち湿度空間と隔離できステッピングモーター９の耐久性を伸ばすことができる。
【産業上の利用可能性】
【００２２】
本発明にかかる浴室換気空調装置は、スイングルーバーの落下を防ぐとともに使用者が容易に確認を可能とするものであるので、浴室換気空調装置のみならず、暖房乾燥機、衣類乾燥機として有用である。
【符号の説明】
【００２３】
１      吸込口
２      吹出口
３      循環風路
４      ファン
５      ファンモーター
６      フロントパネル
７      スイングルーバー
８      ジョイント
９      ステッピングモーター
１０ａ  スイングルーバー軸Ａ
１０ｂ  スイングルーバー軸Ｂ
１１    ステッピングモーター軸
１２ａ  軸穴Ａ
１２ｂ  軸穴Ｂ
１３    落下防止リブ
１４    直線状
１５    ステッピングモーターカバー
１６    ネジ
１７    平面
１８    リード口
１９    リード固定リブ
【図１】
2012193933.tif 000003
【図２】
2012193933.tif 000004
【図３】
2012193933.tif 000005
【図４】
2012193933.tif 000006
【図５】
2012193933.tif 000007
【図６】
2012193933.tif 000008
【図７】
2012193933.tif 000009
【図８】
2012193933.tif 000010
【図９】
2012193933.tif 000011